(57)【要約】【課題】  除雪車により積み上げられた雪塊を融雪槽に確実に投入して融雪することができるようにする。【解決手段】  融雪槽の上部に、蓋体ユニット１７、１７、…からなる蓋体１２を設ける。蓋開閉機構は、レール受枠２１、２１と、レール受枠２１、２１内に摺動自在に取り付けられた牽引ロッド２３、２３と、牽引ロッド２３、２３の間に配置された固定軸３３、３３、…と、移動回動軸３４、３４、…とにより構成する。固定軸３３、３３は、その両端を固定点に固定する。移動回動軸３４、３４、…は、その両端を牽引ロッド２３、２３に固定する。蓋体ユニット１７の一端を固定軸３３に連結し、蓋体ユニット１７の他端を移動回動軸３４に連結し、牽引ロッド２３を移動させて、蓋体ユニット１７を、その中心が迫り上がるように開閉させるようにする。【選択図】        図４
2007002530.tif 000002
【特許請求の範囲】
【請求項１】
落下した雪を融雪する融雪槽と、
前記融雪槽の上部に配設され、折曲自在とされた複数の蓋体ユニットからなる蓋体と、
前記蓋体ユニットを、その中心が迫り上がるように開閉させる蓋体開閉機構と
からなることを特徴とする融雪装置。
【請求項２】
前記蓋開閉機構は、前記融雪槽の上縁に沿って取り付けられた一対のガイドと、前記一対のガイドに摺動自在に取り付けられた一対の牽引ロッドと、前記一対の牽引ロッド間に配置され、その両端が固定点に固定された固定軸と、前記一対の牽引ロッド間に配置され、その両端が前記牽引ロッドに固定された移動回動軸とからなり、
前記蓋体ユニットの一端を前記固定軸に連結し、前記蓋体ユニットの他端を前記移動回動軸に連結し、前記牽引ロッドを移動させて、前記蓋体ユニットを、その中心が迫り上がるように開閉させる
ようにしたことを特徴とする請求項１に記載の融雪装置。
【請求項３】
更に、前記蓋体ユニットにテーパ片を設け、前記牽引ロッドに突起を設け、前記突起を前記テーパ片に沿って動かすことにより、初期段階で、前記蓋体ユニットをその中心が迫り上がるように開閉させるようにしたことを特徴とする請求項２に記載の融雪装置。
【請求項４】
更に、前記融雪槽に水中ポンプを設け、前記水中ポンプにより前記融雪槽内の水を循環させ、前記融雪槽に水の流れを形成するようにしたことを特徴とする請求項１から請求項３の何れかに記載の融雪装置。
【発明の詳細な説明】
【技術分野】
【０００１】
本発明は、特に、豪雪地帯において、除雪車により道路脇に積み上げられた雪塊を融雪するのに用いられる融雪装置に関する。
【背景技術】
【０００２】
除雪車による除雪では、道路に溜まった雪が削り取られ、削り取られた雪が雪塊となって道路脇に積み上げられる。この雪塊は、道路脇ばかりでなく、道路の両脇の居住地の敷地内にまで積み上げられる。このため、道路脇に居住している住民は、居住地内に積み上げられた雪塊を各家庭で処理しなければならない。
【０００３】
豪雪地帯において、屋根や庭に降り積もった雪や、敷地内や道路に積み上げられた雪を処理するための融雪装置としては、例えば特許文献１に、融雪槽を庭の地下に埋設し、上部の雪投入口から雪を投入し、強制的に雪を溶解するものが記載されている。
【特許文献１】特開平１１−６１７６６号公報
【発明の開示】
【発明が解決しようとする課題】
【０００４】
しかしながら、上述の従来の融雪装置では、スコップ等で雪を掬って、投入口から投入しなければならない。除雪車により除雪された雪は、大きな塊となっている場合や、非常に硬くなっている場合がある。このように、大きな塊となった雪や、硬くなった雪を、スコップ等で掬って、融雪装置の投入口に投入するのは大変な作業である。
【０００５】
本発明は、上述の課題を鑑み、積み上げられた雪塊を融雪槽に確実に投入して融雪することができるようにした融雪装置を提供することを目的とする。
【課題を解決するための手段】
【０００６】
上述の課題を解決するために、本発明に係る融雪装置は、落下した雪を融雪する融雪槽と、融雪槽の上部に配設され、折曲自在とされた複数の蓋体ユニットからなる蓋体と、蓋体ユニットを、その中心が迫り上がるように開閉させる蓋体開閉機構とからなることを特徴とする。
【０００７】
好ましくは、蓋開閉機構は、融雪槽の上縁に沿って取り付けられた一対のガイドと、一対のガイドに摺動自在に取り付けられた一対の牽引ロッドと、牽引ロッドの間に配置され、その両端が固定点に固定された固定軸と、一対の牽引ロッド間に配置され、その両端が牽引ロッドに固定された移動回動軸とからなり、蓋体ユニットの一端を固定軸に連結し、蓋体ユニットの他端を移動回動軸に連結し、牽引ロッドを移動させて、蓋体ユニットを、その中心が迫り上がるように開閉させるようにしたことを特徴とする。
【０００８】
好ましくは、更に、蓋体ユニットにテーパ片を設け、牽引ロッドに突起を設け、この突起をテーパ片に沿って動かすことにより、初期段階で、蓋体ユニットをその中心が迫り上がるように開閉させるようにしたことを特徴とする。
【０００９】
好ましくは、更に、融雪槽に水中ポンプを設け、水中ポンプにより融雪槽内の水を循環させ、融雪槽に水の流れを形成するようにしたことを特徴とする。
【発明の効果】
【００１０】
本発明によれば、落下した雪を融雪する融雪槽と、融雪槽の上部に配設され、折曲自在とされた複数の蓋体ユニットからなる蓋体と、蓋体ユニットを、その中心が迫り上がるように開閉させる蓋体開閉機構とを設けるようにしている。このように、蓋体ユニットがその中心が迫り上がるように開閉させるので、大きな雪塊は砕かれて小さな雪塊となり、融雪槽内に落とし込まれる。これにより、除雪車等により道路脇に蓄積した雪を確実に融雪することができる。
【００１１】
本発明によれば、蓋開閉機構を、融雪槽の上縁に沿って取り付けられた一対のガイドと、一対のガイドに摺動自在に取り付けられた一対の牽引ロッドと、一対の牽引ロッド間に配置され、その両端が固定点に固定された固定軸と、一対の牽引ロッドの間に配置され、その両端が牽引ロッドに固定された移動回動軸とからなり、蓋体ユニットの一端を固定軸に連結し、蓋体ユニットの他端を移動回動軸に連結し、牽引ロッドを移動させて、蓋体ユニットを、その中心が迫り上がるように開閉させるようにして構成しているので、雪塊が砕かれて融雪槽内に確実に落とし込まれ、除雪車等により道路脇に蓄積した雪を確実に融雪することができる。
【００１２】
本発明によれば、更に、蓋体ユニットにテーパ片を設け、牽引ロッドに突起を設け、突起をテーパ片に沿って動かすことにより、初期段階で、蓋体ユニットをその中心が迫り上がるように開閉させるようにしているので、大きな力が必要となる初期段階でも、蓋体の開閉を確実に行うことができる。
【００１３】
本発明によれば、更に、融雪槽に水中ポンプを設け、水中ポンプにより融雪槽内の水を循環させ、融雪槽に水の流れを形成するようにしている。このため、融雪槽に水の流れができ、融雪槽内に落下した雪塊は、この水の流れにより、融雪槽内で浮上しながら移動していく。これにより、大量の雪塊が落下した場合にも、雪塊を融雪槽内で確実に融雪することができる。
【発明を実施するための最良の形態】
【００１４】
第１実施形態．
以下、本発明の実施の形態について図面を参照しながら説明する。図１は、本発明が適用された融雪装置の概要を示すものである。
【００１５】
図１において、道路脇の住居１の敷地３には、道路２に沿って、本発明が適用された融雪装置１０が設けられる。この融雪装置１０は、図２に示すように、融雪槽１１と、この融雪槽１１の上部を覆う蓋体１２とからなる。融雪槽１１には、ボイラ５からの湯水が供給される。
【００１６】
蓋体１２は、蓋体ユニット１６と、複数の蓋体ユニット１７、１７、…とからなる。蓋体ユニット１６は、蓋の開閉時に、融雪槽１１上を平行移動する。蓋体ユニット１７、１７、…は、例えば２枚の鋼板を回動自在に結合されて形成されており、蓋の開閉時に、その中心から迫り上がるように折り曲がる。
【００１７】
図２は、蓋体１２を閉じているときの状態を示している。蓋体１２が閉じられているときには、雪塊が蓋体１２上に堆積する。
【００１８】
図３は蓋体１２を開いているときの状態を示している。回転ハンドル１５を操作して、蓋体１２を開くと、図３に示すように、蓋体１２のうち、蓋体ユニット１６は、融雪槽１１上を平行移動し、開口１８を形成し、蓋体ユニット１７、１７、…は、その中心が迫り上がるように折り曲がり、開口１９、１９、…を形成する。
【００１９】
これにより、蓋体１２上の雪塊は、開口１８、開口１９、１９、…を介して融雪槽１１の中に落下する。このとき、蓋体ユニット１７、１７、…が迫り上がるように折り曲げられるため、蓋体１２の上に積もった雪塊は小さく砕かれて、融雪槽１１内に落下する。融雪槽１１に落下した雪塊は、融雪槽１１内の湯水により融雪される。
【００２０】
このように、本発明の第１実施形態の融雪装置１０では、回転ハンドル１５を回転させて、蓋体１２を開くことで、蓋体１２の上に堆積した雪塊を、融雪槽１１内に落下させ、融雪している。このとき、蓋体ユニット１７、１７、…は、迫り上がるように折り曲げられるため、蓋体１２の上に積もった雪塊は、小さく砕かれて、融雪槽１１の中に確実に落下する。
【００２１】
次に、本発明の第１実施形態の融雪装置の蓋の開閉機構について詳述する。図４は、融雪装置１０の内部構造を示すものである。図４において、前述した融雪槽１１の長手方向の両上縁に沿って、一対のレール受枠２１、２１が対向して設けられる。レール受枠２１、２１内には、レール２２、２２が設けられている。
【００２２】
レール受枠２１、２１内には、一対の牽引ロッド２３、２３が摺動自在に収納されている。牽引ロッド２３、２３には、戸車２４、２４が取り付けられており、この戸車２４、２４がレール２２、２２上に配置される。レール受枠２１、２１及びレール２２、２２が牽引ロッド２３、２３の動きを案内するガイドとなる。
【００２３】
一対の牽引ロッド２３、２３との間に、一対の移動軸３１及び３２が配置される。これに続いて、一対の固定軸３３及び移動回動軸３４が配置される。以下、蓋体ユニット１７の数に対応するだけ、固定軸３３と、移動回動軸３４が配置される。
【００２４】
一対の移動軸３１及び３２は、蓋体ユニット１６を支持する軸である。移動軸３１及び３２の両端は、牽引ロッド２３、２３に固定される。
【００２５】
一対の固定軸３３及び移動回動軸３４は、蓋体ユニット１７、１７、…を支持する軸である。固定軸３３の両端は、固定片３５を介して、固定点であるレール受枠２１、２１に固定される。移動回動軸３４の両端は、牽引ロッド２３、２３に固定される。
【００２６】
移動軸３１には、蓋連結部４１、４１が取り付けられる。移動軸３２には、蓋連結部４２、４２が取り付けられる。蓋体ユニット１６の一方の端１６ａは、蓋連結部４１、４１を介して、移動軸３１に取り付けられる。蓋体ユニット１６の他方の端１６ｂは、蓋連結部４２、４２を介して、移動軸３２に取り付けられる。
【００２７】
固定軸３３には、蓋連結部４３、４３が取り付けられる。移動回動軸３４には、蓋連結部４４、４４が取り付けられる。蓋体ユニット１７の一方の端１７ａは、蓋連結部４３、４３を介して、固定軸３３に取り付けられる。蓋体ユニット１７の他方の端１７ｂは、蓋連結部４４、４４を介して、移動回動軸３４に取り付けられる。
【００２８】
また、牽引ロッド２３、２３との間に、牽引軸受５１が設けられる。牽引軸受５１の中心には、ネジ穴５２が設けられる。牽引軸受５１の両端は、牽引ロッド２３、２３に固定される。
【００２９】
回転ハンドル１５の回動軸には、チェーン歯車２６が取り付けられている。また、牽引回転ネジ２８の一端には、チェーン歯車２７が取り付けられている。これらのチェーン歯車２６とチェーン歯車２７との間に、チェーン２９が架設される。牽引回転ネジ２８は、牽引ロッド２３、２３との間に設けられた牽引軸受５１の中心のネジ穴５２に螺合される。
【００３０】
このような構成では、回転ハンドル１５を回転させると、チェーン歯車２６が回転する。チェーン歯車２６の回転は、チェーン２９を介して、チェーン歯車２７に伝えられる。チェーン歯車２７が回転すると、牽引回転ネジ２８が回転し、牽引軸受５１が矢印Ａ１又はＡ２方向に移動する。これにより、牽引ロッド２３、２３が矢印Ａ１又はＡ２方向に移動する。
【００３１】
図５は、本発明の第１実施形態の蓋の動きを示すものである。図５に示すように、蓋体ユニット１６の両端１６ａ及び１６ｂは、蓋連結部４１及び蓋連結部４２を介して、移動軸３１及び３２に連結されている。移動軸３１及び３２は、牽引ロッド２３に固定されている。牽引ロッド２３を矢印Ａ１に移動させたときには、蓋体ユニット１６は、図５（Ａ）に示すような位置となる。牽引ロッド２３を矢印Ａ２に移動させると、蓋体ユニット１６は、図５（Ｂ）に示すような位置に移動する。
【００３２】
蓋体ユニット１７の一方の端１７ａは、蓋連結部４３を介して、固定軸３３に連結されている。固定軸３３は、固定片３５を介して、固定点であるレール受枠２１に固定されている。蓋体ユニット１７の他方の端１７ｂは、蓋連結部４４を介して、移動回動軸３４に連結されている。移動回動軸３４は、牽引ロッド２３に連結されている。
【００３３】
牽引ロッドを矢印Ａ１に移動させたときには、蓋体ユニット１７は、図５（Ａ）に示すような位置となり、蓋体ユニット１７は平坦になっている。牽引ロッド２３を矢印Ａ２に移動させると、図５（Ｂ）に示すように、この動きに連動して、移動回動軸３４が動き、蓋体ユニット１７の端１７ｂは矢印Ａ２方向に移動していく。これに対して、蓋体ユニット１７の端１７ａは、固定軸３３により固定点に固定されている。このため、牽引ロッド２３を矢印Ａ２に移動させると、蓋体ユニット１７は、図５（Ｂ）に示すように、その中心から迫り上がるように折り曲がる。
【００３４】
第２実施形態．  
図６は、本発明の第２実施形態を示すものである。この実施形態では、図６に示すように、牽引ロッド２３、２３に、長孔６３が設けられ、また、牽引ロッド２３、２３に、突起６２が設けられる。蓋体ユニット１７に、テーパ片６１、６１が取り付けられる。
【００３５】
つまり、図７に拡大して示すように、牽引ロッド２３に長孔６３が設けられ、移動回動軸３４の端がこの長孔６３に挿入される。また、蓋体ユニット１７に、テーパ片６１が取り付けられ、このテーパ片６１が突起６２上に配置される。他の構成については、前述の実施形態と同様であり、その説明は、省略する。
【００３６】
図８は、本発明の第２実施形態の蓋の動きを示すものである。蓋体ユニット１６の両端は、蓋連結部４１及び蓋連結部４２を介して、移動軸３１及び３２に連結されており、移動軸３１及び３２は、牽引ロッド２３に固定されている。したがって、牽引ロッド２３を矢印Ａ１に移動させたときには、蓋体ユニット１６は、図８（Ａ）に示すような位置となり、牽引ロッド２３を矢印Ａ２に移動させると、蓋体ユニット１６は、図８（Ｂ）に示すような位置に移動し、更に、牽引ロッド２３を矢印Ａ２方向に移動させると、図８（Ｃ）に示すような位置に移動する。
【００３７】
蓋体ユニット１７の一方の端１７ａは、蓋連結部４３を介して、固定軸３３に連結されており、固定軸３３は、固定片３５を介して、固定点となるレール受枠２１に固定されている。蓋体ユニット１７の他方の端１７ｂは、蓋連結部４４を介して、移動回動軸３４に連結されており、移動回動軸３４は、牽引ロッド２３に設けられた長孔６３に挿入されている。
【００３８】
牽引ロッド２３を矢印Ａ１に移動させたときには、蓋体ユニット１７は、図８（Ａ）に示すような位置となり、蓋体ユニット１７は平坦になっている。
【００３９】
牽引ロッド２３を矢印Ａ２に移動させると、初期段階では、図８（Ｂ）に示すように、蓋体ユニット１７が少し迫り上がり、半開きの状態となる。
【００４０】
つまり、牽引ロッド２３に長孔６３が設けられているので、牽引ロッド２３を動かしても、直ちに、移動回動軸３４にその動きは伝わらない。牽引ロッド２３には突起６２が設けられており、この突起６２上に、蓋体ユニット１７のテーパ片６１が配置されている。したがって、牽引ロッド２３が動くと、突起６２が蓋体ユニット１７のテーパ片６１に沿って摺動しながら移動する。このため、図８（Ｂ）に示すように、蓋体ユニット１７が少し迫り上がり、半開きの状態となる。
【００４１】
牽引ロッド２３を矢印Ａ２方向に更に移動させると、図８（Ｃ）に示すように、この動きに連動して、蓋体ユニット１７の端１７ｂは移動する。これに対して、蓋体ユニット１７の端１７ａは、固定軸３３により固定されている。このため、蓋体ユニット１７は、その中心から迫り上がるように折り曲がる。
【００４２】
上述のように、この実施形態では、初期段階では、突起６２とテーパ片６１とを摺動させることで、蓋体ユニット１７を少し開くことができる。回転ハンドル１５を回転させて蓋体１２を開く場合、蓋体１２上に雪塊が凍結しているため、初期段階では、大きな力が必要になる場合がある。この実施形態では、初期段階では、突起６２とテーパ片６１とを摺動させることで蓋体ユニット１７が開き始めるため、初期段階でも、確実に、蓋体１２の開閉を行うことができる。
【００４３】
第３実施形態．
図９は、本発明の第３実施形態を示すものである。図９において、融雪槽１１の中央上部に、給湯パイプ１０１が配置される。融雪槽１１上には、図示していないが、前述した蓋体１２や、蓋体の開閉機構が設けられる。これらの給湯パイプ１０１は、ボイラ５からのパイプ１０３に連結されている。給湯パイプ１０１には、複数の給湯孔が設けられている。なお、給湯パイプ１０１は融雪槽１１の中央上部のみに限られず、融雪槽１１の側面、下部等に設けても良い。
【００４４】
融雪槽１１内には、水中ポンプ１０４が設けられる。水中ポンプ１０４により融雪槽１１内の底部の水又は湯水が汲み取られ、この湯水が循環パイプ１０５を介して、循環給湯口１０６から給湯される。
【００４５】
図９において、ボイラ５からの湯水は、パイプ１０３を介して、給湯パイプ１０１に送られ、給湯パイプ１０１の給湯口から、融雪槽１１内に供給される。そして、水中ポンプ１０４により、融雪槽１１内の底部の湯水が汲み取られ、循環パイプ１０５を介して、循環給湯口１０６から給湯され、湯水が循環される。
【００４６】
このように、この実施形態では、融雪槽１１の湯水は循環され、循環給湯口１０６から供給される。このため、融雪槽１１に時計方向または反時計方向の水の流れができる。したがって、融雪槽１１内に落下した雪塊は、この水の流れにより、融雪槽１１内で浮上しながら循環する。これにより、融雪槽１１内に大量の雪塊が落下した場合にも、水の流れで雪塊を循環させながら、雪塊を融雪槽１１内で確実に融雪することができる。なお、融雪槽１１の一部にオーバーフロー孔１９が設けられる。融雪槽１１内に落ちた雪のために、融雪槽１１内の水位が上昇した場合には、オーバーフローした水はオーバーフロー孔１９から外部に排出される。
【００４７】
本発明は、上述した実施形態に限定されるものではなく、本発明の要旨を逸脱しない範囲内で様々な変形や応用が可能である。
【産業上の利用可能性】
【００４８】
本発明は、降雪地帯において、除雪車により積み上げられた雪、敷地内に積もった雪、屋根から落下した雪等を融雪する場合に用いることができる。
【図面の簡単な説明】
【００４９】
【図１】本発明が適用された融雪装置の概要を示す斜視図である。
【図２】本発明が適用された融雪装置の蓋を閉塞時の説明に用いる斜視図である。
【図３】本発明が適用された融雪装置の蓋を開放時の説明に用いる斜視図である。
【図４】本発明の第１実施形態の融雪装置の説明に用いる分解斜視図である。
【図５】本発明の第１実施形態の融雪装置における蓋の動きの説明図である。
【図６】本発明の第２実施形態の融雪装置の説明に用いる分解斜視図である。
【図７】本発明の第２実施形態の融雪装置の主要部の説明に用いる斜視図である。
【図８】本発明の第２実施形態の融雪装置における蓋の動きの説明図である。
【図９】本発明の第３実施形態の説明図である。
【符号の説明】
【００５０】
１  住居
２  道路
３  敷地
５  ボイラ
１０  融雪装置
１１  融雪槽
１２  蓋体
１５  回転ハンドル
１６、１７  蓋体ユニット
１８  オーバーフロー孔
２１  レール受枠
２２  レール
２３  牽引ロッド
２４  戸車
２６、２７  チェーン歯車
２８  牽引回転ネジ
２９  チェーン
３１、３２  移動軸
３３  固定軸
３４  移動回動軸
３５  固定片
４１〜４４  蓋連結部
５１  牽引軸受
６１  テーパ片
６２  突起
６３  長孔
１０１給湯パイプ
１０３ パイプ
１０４ 水中ポンプ
１０５ 循環パイプ
１０６ 循環給湯口
【図１】
2007002530.tif 000003
【図２】
2007002530.tif 000004
【図３】
2007002530.tif 000005
【図４】
2007002530.tif 000006
【図５】
2007002530.tif 000007
【図６】
2007002530.tif 000008
【図７】
2007002530.tif 000009
【図８】
2007002530.tif 000010
【図９】
2007002530.tif 000011